(57)【要約】      （修正有）【課題】低コストと高性能とを兼ね備える超臨界の二酸化炭素を利用した超臨界抽出構造を提供する。【解決手段】被抽出物Ｂが納置される原料載置器１２が内設される抽出装置１１を備え、そして抽出装置１１の外部に超臨界装置３と捕集装置４とが連結され、超臨界装置３に空気溜め部品５が連結されて加圧部品３１により抜き取られる二酸化炭素Ａを抽出装置１１内に進入し、そして捕集装置４に抽出装置１１に連通する捕集管４１が繋がれ、捕集管４１に抽出装置１１への二酸化炭素Ａの還流を防止する逆止弁Ｃが配置され、かつ捕集装置４は、捕集室４２と冷凝縮装置４３とを有し、ただ、捕集室４２内に捕集容器Ｄが載置され、そして冷凝縮装置４３に捕集容器Ｄの上方に対応して凝滴出口４３１が設けられる。【選択図】図１
0003223674.tif 000002
【実用新案登録請求の範囲】
【請求項１】
少なくとも抽出装置を備える超臨界抽出構造であって、前記抽出装置内に少なくとも原料載置器が設けられ、前記原料載置器内に被抽出物が納置され、かつ前記抽出装置は、前記原料載置器に対応して少なくとも弁口を有し、前記弁口に前記弁口を開放または閉塞する往復弁門が設置され、かつ前記抽出装置の外側に少なくとも前記弁口に連結される原料輸送装置を有し、前記原料輸送装置に前記原料載置器を前記弁口を介して前記抽出装置を進出させるように運搬する往復キャリアが設けられ、前記抽出装置の外部に少なくとも超臨界装置と捕集装置とが連結され、前記超臨界装置に少なくとも空気溜め部品が連結され、前記空気溜め部品内に二酸化炭素が載置され、そして前記超臨界装置に少なくとも前記空気溜め部品の前記二酸化炭素を前記抽出装置内に進入するように抜き取る加圧部品が配置され、前記加圧部品に前記抽出装置に連通する噴流管が繋がれ、前記噴流管に少なくとも前記二酸化炭素の温度を向上させる加温部品が配置され、かつ前記噴流管に少なくとも前記二酸化炭素の還流を防止する逆止弁が配置され、それから、前記捕集装置に少なくとも前記抽出装置に連通する捕集管が繋がれ、前記捕集管に前記抽出装置への前記二酸化炭素の還流を防止する逆止弁が配置され、それから、前記捕集装置は、少なくとも捕集室と冷凝縮装置とを有し、ただ、前記捕集室内に少なくとも捕集容器が載置され、そして前記冷凝縮装置に前記捕集容器の上方に対応して少なくとも凝滴出口が設けられ、かつ前記冷凝縮装置に前記凝滴出口と互いに連絡し、及び前記抽出装置に連通する前記捕集管が設けられることを特徴とする、超臨界抽出構造。
【請求項２】
前記抽出装置と前記捕集装置とにまた各々少なくとも濾過体が連通し、前記濾過体にほかに少なくとも逃がし弁が連通し、前記逃がし弁に再び前記超臨界装置が連通することを特徴とする、請求項１に記載の超臨界抽出構造。
【考案の詳細な説明】
【技術分野】
【０００１】
本考案は、超臨界抽出構造であり、特に、超臨界状態の二酸化炭素に基づいて被抽出物に対して加圧抽出する技術分野を指すものである。
【背景技術】
【０００２】
ある物質内の含有成分の抜出は、主に前記物質の特性に応じて抜出の方式を選択するが、抜出方式は、少なくとも低温抽出と、高温分裂解離と、差圧分裂と、溶剤抽出とを含む。現在、溶剤抽出はコストが一番低いが、溶剤抽出後、溶剤が残存しており、重金属を排除することができなくなり、物質内に含有されている有機塩が溶剤によって徹底的に破壊されてしまい、及び溶剤を脱離させるための追加の操作が必要となるなどの状況がよく見られる。従って、溶剤抽出は、高単価の植物性抽出において、抽出しようとする植物材料の無駄使いを極めて招きやすい。
【０００３】
また、低温抽出、高温分裂解離または差圧を使用する分裂において、同様に高単価の植物材料から生じる抽出成分に対して各々異なる破壊が生じてしまう。このため、高単価の植物材料からの抽出成分が破壊されてしまうおそれを避けようとすれば、別途方法を考えて抽出するしかない。
【考案の概要】
【考案が解決しようとする課題】
【０００４】
上記に鑑み、従来の高単価の植物材料からの抽出成分が破壊されてしまう事実があるので、本願の考案者が低コストと高効能とを兼ね備える超臨界の二酸化炭素を利用して抽出するように促すことが最適であることが分かる。
【課題を解決するための手段】
【０００５】
本考案の超臨界抽出構造は、抽出装置を備え、前記抽出装置内に原料載置器が設けられ、前記原料載置器内に被抽出物が納置され、かつ前記抽出装置は、前記原料載置器に対応して弁口を有し、前記弁口に前記弁口を開放または閉塞する往復弁門が設置され、かつ前記抽出装置の外側に前記弁口に連結される原料輸送装置を有し、前記原料輸送装置に前記原料載置器を前記弁口を介して前記抽出装置を進出させるように運搬する往復キャリアが設けられる。また、前記抽出装置の外部に超臨界装置と捕集装置とが連結される。前記超臨界装置に空気溜め部品が連結され、前記空気溜め部品内に二酸化炭素が載置され、そして前記超臨界装置に前記空気溜め部品の前記二酸化炭素を前記抽出装置内に進入するように抜き取る加圧部品が配置され、前記加圧部品に前記抽出装置に連通する噴流管が繋がれ、前記噴流管に前記二酸化炭素の温度を向上させる加温部品が配置され、かつ前記噴流管に前記二酸化炭素の還流を防止する逆止弁が配置される。前記捕集装置に前記抽出装置に連通する捕集管が繋がれ、前記捕集管に前記抽出装置への前記二酸化炭素の還流を防止する逆止弁が配置される。それから、前記捕集装置は、捕集室と冷凝縮装置とを有する。ただ、前記捕集室内に捕集容器が載置され、そして前記冷凝縮装置に前記捕集容器の上方に対応して凝滴出口が設けられ、かつ前記冷凝縮装置に前記凝滴出口と互いに連絡し、及び前記抽出装置に連通する前記捕集管が設けられる。
【０００６】
本考案の前記抽出装置と前記捕集装置とに各々濾過体が連通し、前記濾過体に逃がし弁が連通し、前記逃がし弁に再び前記超臨界装置が連通する。
【考案の効果】
【０００７】
本考案の目的は、超臨界抽出構造は、加圧部品と加温部品とによって二酸化炭素が抽出装置内に超臨界に強制的に至れるようにすることになり、それから、超臨界抽出構造は、超臨界の二酸化炭素を用いて被抽出物に対して抽出を実行するという実質的利益が得られることである。
【図面の簡単な説明】
【０００８】
【図１】本考案の超臨界抽出構造を示す図である。
【図２】本考案の原料輸送装置の操作図である。
【考案を実施するための形態】
【０００９】
本考案をより明瞭に理解できるように、下記の実施例を挙げ、添付図面を参照しながら以下詳細に説明する。
【００１０】
現在、超臨界流体（Ｓｕｐｅｒｃｒｉｔｉｃａｌ  ｆｌｕｉｄ，ＳＣＦ）が既に知られており、ＳＣＦ技術とは、温度と圧力とも臨界点よりも高い流体を指し、その超臨界流体の中に最も利用価値を有するものが二酸化炭素Ａである。而して、超臨界流体の温度と圧力は、臨界温度と臨界圧力よりも高く、かつ気相と液相の臨界点に接近している状態は、超臨界状態と呼ばれると同時に、超臨界状態の気相と液相性質が非常に相似している。
【００１１】
二酸化炭素Ａ自身は、即ち、不活性気体であるため、超臨界状態の二酸化炭素Ａは、天然産物の成分抜出に特に適し、とりわけ、二酸化炭素Ａが圧力下降によって被抽出物Ｂから迅速に分離されることで、操作上、極めて便利であり、抽出効率が高く、かつエネルギー消耗が少ないコスト節約特性を有する。
【００１２】
而して、二酸化炭素Ａの超臨界抽出については、最適温度が摂氏３１．２６度であり、臨界圧力が７１．８大気圧（７.１８ＭＰａ）であり、この抽出条件は、感熱性成分の酸化と逸散を効果的に防止することができるので、被抽出物Ｂの抽出後の成分活性を完全に保持することが可能となる。
【００１３】
また、二酸化炭素Ａを超臨界抽出に使用した後、溶剤の残存がまったくなく、伝統的な抜出条件での溶剤残存の問題を効果的に回避することができる。
【００１４】
その内、二酸化炭素Ａを用いる超臨界抽出においては、少なくともイチイ、黄耆、人参葉、大麻、麝香、ヨモギ、銀杏の葉、川貝母、ユーカリの葉、バラの花、クスノキの葉、ジャスミン、花椒、八角、モクセイ、ショウガ、ニンニク、唐辛子、タンジェロの皮、ホップ、ススキ、レモングラス、セージ、ローズマリー、チョウジ、カルダモン、沙棘、小麦、トウモロコシ、米ぬか、タバコ、茶葉などを含む天然植物と薬物の種類に応用されることが多い。
【００１５】
とりわけ、仮に二酸化炭素Ａを大麻の超臨界抽出に使用する場合には、最大価値は、嗜癖性のない抗痙攣、抗不安と抗炎薬理成分を含有するカンナビジオールのみを抽出し、かつ毒物反応のあるテトラヒドロカンナビノールを完全に排除することができることである。
【００１６】
ゆえに、本考案の超臨界抽出構造１では、大麻に対して抽出を行うことができ、その内、前記超臨界抽出構造１は、少なくとも抽出装置１１を備え、前記抽出装置１１内に少なくとも原料載置器１２が設けられ、前記原料載置器１２内に被抽出物Ｂ（被抽出物Ｂが大麻であってもよい）が納置され、それから、前記抽出装置１１は、前記原料載置器１２に対応して少なくとも弁口１３を有し、前記弁口１３に前記弁口１３を開放または閉塞する往復弁門１３１が設置され、かつ前記抽出装置１１の外側に少なくとも前記弁口１３に連結される原料輸送装置２を有し、前記原料輸送装置２に前記原料載置器１２を前記弁口１３を介して前記抽出装置１１を進出させるように運搬する往復キャリア２１が設けられ、それから、前記抽出装置１１の外部に少なくとも超臨界装置３と捕集装置４とが連結される。前記超臨界装置３に少なくとも空気溜め部品５が連結され、前記空気溜め部品５内に二酸化炭素Ａが載置され、そして前記超臨界装置３に少なくとも前記空気溜め部品５の前記二酸化炭素Ａを前記抽出装置１１内に進入するように抜き取る加圧部品３１が配置され、前記加圧部品３１に前記抽出装置１１に連通する噴流管３１１が繋がれ、前記噴流管３１１に少なくとも前記二酸化炭素Ａの温度を向上させる加温部品３２が配置され、かつ前記噴流管３１１に少なくとも前記二酸化炭素Ａの還流を防止する逆止弁Ｃが配置される。それから、前記捕集装置４に少なくとも前記抽出装置１１に連通する捕集管４１が繋がれ、前記捕集管４１に前記抽出装置１１への前記二酸化炭素Ａの還流を防止する逆止弁Ｃが配置され、それから、前記捕集装置４に少なくとも捕集室４２と冷凝縮装置４３とを有し、ただ、前記捕集室４２内に少なくとも捕集容器Ｄが載置され、そして前記冷凝縮装置４３に前記捕集容器Ｄの上方に対応して少なくとも凝滴出口４３１が設けられ、かつ前記冷凝縮装置４３に前記凝滴出口４３１と互いに連絡し、及び前記抽出装置１１に連通する前記捕集管４１が設けられる（図１参照）。
【００１７】
本考案の前記抽出装置１１と前記捕集装置４とにまた各々少なくとも濾過体６が連通し、前記濾過体６にほかに少なくとも逃がし弁７が連通し、前記逃がし弁７に再び前記超臨界装置３が連通する（図１参照）。
【００１８】
ただ、前記弁口１３は、平時、往復弁門１３１で閉塞され、そして前記弁口１３にて前記原料載置器１２を入れ置くか、あるいは取り出して取替える必要がある時、即ち、往復弁門１３１で前記弁口１３を開放し、かつ原料輸送装置２の往復キャリア２１を利用して前記原料載置器１２を前記抽出装置１１の内部に入れ置くように運搬するか、あるいは前記抽出装置１１の内部から前記原料載置器１２を取り出す（図２参照）。
【００１９】
上記から分かるように、本考案の超臨界抽出構造１は、前記超臨界装置３で二酸化炭素Ａを加温及び押送すると共に、前記二酸化炭素Ａで前記抽出装置１１の中に被抽出物Ｂに対して高効能抽出を実行し、このようにしてこそ被抽出物Ｂは、従来の溶剤残存条件下に生産するおそれがないことを保障することができると共に、この超臨界抽出構造１によれば、操作上、極めて便利であり、抽出効率が高く、かつエネルギー消耗が少ないコスト節約特性を有することが本考案の優れた特点になる。
【符号の説明】
【００２０】
Ａ        二酸化炭素
Ｂ        被抽出物
Ｃ        逆止弁
Ｄ        捕集容器
１        超臨界抽出構造
１１      抽出装置
１２      原料載置器
１３      弁口
１３１    往復弁門
２        原料輸送装置
２１      往復キャリア
３        超臨界装置
３１      加圧部品
３１１    噴流管
３２      加温部品
４        捕集装置
４１      捕集管
４２      捕集室
４３      冷凝縮装置
４３１    凝滴出口
５        空気溜め部品
６        濾過体
７        逃がし弁
【図１】
0003223674.tif 000003
【図２】
0003223674.tif 000004